【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
飲料淹出マシンにおける使用のための淹出バスケットであって、
開いた上部から１つ以上の開口部を有する下端部まで長手方向の長さに沿って延出する淹出容器を画定する本体であって、前記淹出容器が、複数側面３次元（３Ｄ）漏斗形状区分を有する、本体を備え、
前記漏斗形状区分が、前記下端部における前記１つ以上の開口部に近接して位置し、
前記開いた上部が、淹出動作の間に前記淹出マシンからの加熱水を受け取るように構成され、淹出される飲料が、１つ以上の開口部から排出し、
前記淹出容器の前記漏斗形状区分が、フィルタパックの通液可能なパウチの漏斗形状区分と相補的である形状を有し、
前記淹出容器の前記漏斗形状区分が、前記通液可能なパウチと前記淹出容器との間に封止を生成する様態で、前記フィルタパックの前記漏斗形状区分を受け取るように構成される、淹出バスケット。
【請求項２】
前記淹出容器が、前記開いた上部から、頭部区分または前記漏斗形状区分のうちの少なくとも１つに沿って連続的に先細りになっている、請求項１に記載の淹出バスケット。
【請求項３】
前記淹出容器の側面における先細りの量が、前記開いた上部から前記下端部における前記１つ以上の開口部まで実質的に均一である、請求項１に記載の淹出バスケット。
【請求項４】
前記漏斗形状区分が、前記下端部における前記１つ以上の開口部まで延出する、請求項１に記載の淹出バスケット。
【請求項５】
前記淹出容器の前記複数側面３Ｄ漏斗形状区分が、側面が開いた四面体形状を成す、請求項１に記載の淹出バスケット。
【請求項６】
前記淹出容器の前記複数側面３Ｄ漏斗形状区分が、三角錐形状を成し、前記開いた上部が、前記三角錐形状の開いた側面を画定する、請求項１に記載の淹出バスケット。
【請求項７】
前記淹出容器が、中心の長手方向の軸に沿って前記開いた上部から前記下端部まで延出し、前記淹出容器の前記漏斗形状区分が、前記中心の長手方向の軸にほぼ垂直に延出する平面に沿って取られた断面形状を有し、前記漏斗形状区分の前記断面形状が、２つの側辺によって画定された断面形状、三角形状、矩形形状、四面体形状、正方形状、八角形状、少なくとも３つの側面を有する形状、少なくとも４つの側面を有する形状、または少なくとも５つの側面を有する形状のうちの少なくとも１つを含む、請求項１に記載の淹出バスケット。
【請求項８】
前記漏斗形状区分の前記相補的な形状が、前記加熱水が、前記下端部における前記１つ以上の開口部から排出する前に加熱水の単位当たり少なくとも選択量の固体を蓄積するであろうように前記封止を形成するように構成される、請求項１に記載の淹出バスケット。
【請求項９】
前記漏斗形状区分の前記相補的な形状が、前記加熱水が、前記下端部における前記１つ以上の開口部から排出する前に、コーヒー粉内で可用である所定の総可用固体の少なくとも１４％を蓄積するであろうように前記封止を形成するように構成される、請求項１に記載の淹出バスケット。
【請求項１０】
前記本体が、使い捨て構造で形成される、請求項１に記載の淹出バスケット。
【請求項１１】
前記淹出容器が、淹出動作の間にほぼ一杯分の飲料のみを淹出するのに適切な寸法にされたサイズを有する、請求項１に記載の淹出バスケット。
【請求項１２】
淹出容器を含む淹出バスケットを有する飲料淹出マシンにおける使用のためのフィルタパックであって、
コーヒー粉を含有する通液可能なパウチであって、少なくとも２つの複数側面３次元（３Ｄ）漏斗形状区分を形成するように接合された複数の側面および複数の頂点を有する、パウチを備え、
前記パウチが、前記淹出バスケットの前記淹出容器内に保有されるように構成され、前記パウチの前記漏斗形状区分が、前記淹出容器の漏斗形状区分と相補的である形状およびサイズを有し、前記パウチの前記漏斗形状区分が、少なくとも２つの倒置位置のいずれかに配向されるときに前記淹出容器内に適合し、前記淹出容器との封止を生成するように構成された多角形を形成し、前記漏斗形状区分のうちの異なる関連する１つが、前記関連する倒置位置のそれぞれにあるときに前記淹出バスケットの下端部に近接して位置し、
前記パウチが、淹出動作の間に前記側面のうちの最も高い１つにおいて前記淹出マシンからの加熱水を受け取るように構成され、淹出された飲料が、前記倒置頂点から排出する、フィルタパック。
【請求項１３】
前記側面が、関連する対向頂点を有し、前記パウチが、各側面から前記関連する対向頂点まで連続的に先細りになる、請求項１２に記載のフィルタパック。
【請求項１４】
先細りの量が、各側面から前記関連する対向頂点まで実質的に均一である、請求項１３に記載のフィルタパック。
【請求項１５】
前記フィルタパックが、前記関連する頂点が倒置された状態で配向されるときに、前記コーヒー粉が前記漏斗形状区分のうちのいずれか１つを埋める、請求項１２に記載のフィルタパック。
【請求項１６】
前記コーヒー粉からの抽出を容易にするために、前記パウチが、第１の頂点が倒置された状態で前記淹出容器内に位置付けられるときに、貯水ポケットが、前記淹出動作の間に前記パウチの関連する対向する第１の側面の外部表面に近接して形成されるであろうように、前記側面が、関連する対向頂点を有する、請求項１２に記載のフィルタパック。
【請求項１７】
前記封止を形成し前記コーヒー粉からの抽出を容易にするために、前記パウチおよび前記コーヒー粉が前記パウチと前記淹出バスケットの本体との間の空隙を埋めるように、前記パウチが、前記淹出動作の間に膨らむ、請求項１２に記載のフィルタパック。
【請求項１８】
前記パウチの前記側面が、三角形状を有する、請求項１２に記載のフィルタパック。
【請求項１９】
前記パウチの前記漏斗形状区分が、四面体形状を有する、請求項１２に記載のフィルタパック。
【請求項２０】
前記パウチの前記漏斗形状区分が、三角錐形状を有する、請求項１２に記載のフィルタパック。
【請求項２１】
前記フィルタパックが、前記頂点のうちのいずれか１つが倒置されるように配向されるときに、前記側面が、前記淹出容器の前記漏斗形状区分形状およびサイズと相補的であるように前記パウチの前記漏斗形状区分形状およびサイズを維持するように、前記フィルタパックの前記側面が、普遍的な配向性を形成するように接合する、請求項１２に記載のフィルタパック。
【請求項２２】
前記パウチが、前記淹出動作の間に、ほぼ一杯分の飲料のみを淹出するように構成されている前記コーヒー粉の量を保有する、請求項１２に記載のフィルタパック。
【請求項２３】
飲料淹出マシンにおける使用のための淹出バスケットおよびフィルタパックのアセンブリであって、
長手方向の長さに沿って開いた上部から１つ以上の開口部を有する下端部まで延出する淹出容器を画定する本体を備える淹出バスケットであって、前記淹出容器が、複数側面３次元（３Ｄ）漏斗形状区分を有し、前記漏斗形状区分が、前記下端部における前記１つ以上の開口部に近接して位置し、前記開いた上部が、淹出動作の間に前記淹出マシンからの加熱水を受け取るように構成され、淹出された飲料が、前記１つ以上の開口部から排出する、淹出バスケットと、
コーヒー粉を含有する通液可能なパウチを備えるフィルタパックであって、前記パウチが、複数側面３次元（３Ｄ）漏斗形状区分を形成するように接合された複数の側面および複数の頂点を有し、前記パウチが、前記淹出バスケットの前記淹出容器内に保有されるように構成され、前記パウチの前記漏斗形状区分が、前記淹出容器の前記漏斗形状区分の形状およびサイズと相補的である形状およびサイズを有し、前記フィルタパックと前記淹出容器との間に封止を生成する、フィルタパックと、を備える、アセンブリ。
【請求項２４】
前記フィルタパックの前記パウチの前記側面および頂点が、複数の倒置位置のうちのいずれか１つに配向されるときに前記淹出容器内に適合する多角形を形成し、前記頂点のうちの異なる関連する１つが、前記倒置位置のそれぞれにおいて倒置される、請求項２３に記載のアセンブリ。
【請求項２５】
前記淹出容器が、前記開いた上部から前記下端部まで連続的に先細りになっている、請求項２３に記載のアセンブリ。
【請求項２６】
前記淹出容器の側面における先細りの量が、前記開いた上部から前記下端部における前記１つ以上の開口部まで実質的に均一である、請求項２３に記載のアセンブリ。
【請求項２７】
前記漏斗形状区分が、加熱水を、前記下端部における前記１つ以上の開口部から出る前に前記フィルタパック内のコーヒー粉を通して導くように構成される、請求項２３に記載のアセンブリ。
【請求項２８】
前記淹出容器の前記漏斗形状区分が、側面が開いた四面体形状を成す、請求項２３に記載のアセンブリ。
【請求項２９】
前記淹出容器の前記漏斗形状区分が、三角錐形状を成し、前記開いた上部が、前記三角錐形状の開いた側面を画定する、請求項２３に記載のアセンブリ。
【請求項３０】
前記淹出容器の前記漏斗形状区分が、中心の長手方向の軸にほぼ垂直に延出する平面に沿って取られた断面形状を有し、前記断面形状が、２つの側辺によって画定された断面形状、三角形状、矩形形状、四面体形状、正方形状、八角形状、少なくとも３つの側面を有する形状、少なくとも４つの側面を有する形状、または少なくとも５つの側面を有する形状のうちの少なくとも１つを含む、請求項２３に記載のアセンブリ。
【請求項３１】
前記加熱水が、前記下端部における前記１つ以上の開口部から排出する前に加熱水の単位当たり少なくとも選択量の固体を蓄積するまで、前記フィルタパックのコーヒー粉を通って流れるように、フィルタパックおよび前記淹出容器が、互いに適合する、請求項２３に記載のアセンブリ。
【請求項３２】
前記加熱水が、前記下端部における前記１つ以上の開口部から排出する前に、前記コーヒー粉内で可用である所定の総可用固体の少なくとも１４％を蓄積するまで前記コーヒー粉を通って流れるであろうように、フィルタパックおよび前記淹出容器が、互いに適合する、請求項２３に記載のアセンブリ。
【請求項３３】
前記本体が、使い捨て構造で形成される、請求項２３に記載のアセンブリ。
【請求項３４】
前記淹出容器およびフィルタパックが、淹出動作の間にほぼ一杯分の飲料のみを淹出するのに適切な寸法にされたサイズを有する、請求項２３に記載のアセンブリ。
【請求項３５】
前記パウチの前記側面が、関連する対向頂点を有し、前記パウチの前記側面が、各側面から前記関連する対向頂点まで連続的に先細りになっている、請求項２３に記載のアセンブリ。
【請求項３６】
前記パウチの前記側面が、関連する対向頂点を有し、前記パウチが、各側面から前記関連する対向頂点まで連続的に先細りになっており、先細りの量が、各側面から前記関連する対向頂点まで実質的に均一である、請求項２３に記載のアセンブリ。
【請求項３７】
前記フィルタパックが、前記関連する頂点が倒置された状態で配向されるときに、前記コーヒー粉が前記漏斗形状区分のうちのいずれか１つを埋めるように、前記パウチが、複数の頂点、および前記頂点のそれぞれに近接した漏斗形状区分を含む、請求項２３に記載のアセンブリ。
【請求項３８】
前記パウチが、第１の頂点が倒置された状態で前記淹出容器内に位置付けられるときに、前記淹出動作の間に、貯水ポケットが、前記パウチの関連する対向する第１の側面の外部表面に近接して形成されるように、前記側面が、関連する対向頂点を有する、請求項２３に記載のアセンブリ。
【請求項３９】
前記パウチおよび前記コーヒー粉が前記パウチと前記淹出バスケットの本体との間の空隙を埋めるように、前記パウチが、前記淹出動作の間に膨らむように構成される、請求項２３に記載のアセンブリ。
【請求項４０】
前記パウチの前記側面が、三角形状を有する、請求項２３に記載のアセンブリ。
【請求項４１】
前記パウチの前記複数側面３Ｄ形状が、四面体形状または三角錐形状のうちの少なくとも１つを成す、請求項２３に記載のアセンブリ。
【請求項４２】
前記フィルタパックが、前記頂点のうちのいずれか１つが倒置されるように配向されるときに、前記側面が、前記淹出容器の前記漏斗形状区分の前記形状およびサイズと相補的である複数の漏斗形状区分を維持するように、前記フィルタパックの前記側面が、普遍的な配向性を形成するように接合する、請求項２３に記載のアセンブリ。